(57)【要約】【課題】  メガホンの握り部の形状を手を握った時の掌側の形状にフィットするような形状とすることで、メガホンを手で打撃する際のグリップが安定するようにすることを課題とする。【解決手段】  拡声筒と吹き口とから成るメガホンの握り部であって、握り部の形状が、人差し指から小指までの４本の指が接する側のラインと母指球が接する側のラインとにより略ハ字状に形成されていると共に、握り部の中心線を基準として母指球が接する側のラインの方が４本の指が接する側のラインよりも開いた角度となるように形成されたメガホンの握り部とした。またこの握り部がメガホンの一部であるようなメガホンとした。【選択図】図２
2007156375.tif 000002
【特許請求の範囲】
【請求項１】
拡声筒と吹き口とから成るメガホンの握り部であって、握り部の形状が、人差し指から小指までの４本の指が接する側のラインと母指球が接する側のラインとにより略ハ字状に形成されていると共に、握り部の中心線を基準として母指球が接する側のラインの方が４本の指が接する側のラインよりも開いた角度となるように形成されていることを特徴とする、メガホンの握り部。
【請求項２】
滑り止めが設けられている請求項１に記載のメガホンの握り部。
【請求項３】
拡声筒と吹き口と握り部とから成るメガホンに於いて、握り部の形状が、人差し指から小指までの４本の指が接する側のラインと母指球が接する側のラインとにより略ハ字状に形成されていると共に、握り部の中心線を基準として母指球が接する側のラインの方が４本の指が接する側のラインよりも開いた角度となるように形成されていることを特徴とする、メガホン。
【請求項４】
握り部に滑り止めが設けられている請求項３に記載のメガホン。
【請求項５】
握り部が吹き口に設けられている請求項３に記載のメガホン。
【請求項６】
複数個の拡声筒が、その後部に共用される１個の前記握り部を有すると共に、複数個の拡声筒が打撃により互いを打ち合うように設けられている、請求項３に記載のメガホン。
【発明の詳細な説明】
【技術分野】
【０００１】  この発明はスポーツ等応援用具としてのメガホンの握り部及びこのメガホンの握り部を有するメガホンに係り、更に詳しくは握り部が握り手の形状にフィットしてメガホンを別の手で打撃する際のグリップが安定するものに関する。
【背景技術】
【０００２】  従来のメガホンは、例えば図４で示すように拡声筒８０と吹き口８１とから成り、スポーツ等応援用具として利用する際には吹き口８１を吹いたり、一方の手で握ったメガホン８の拡声筒８０を他方の手で打撃して音を発生させるような使い方が一般的である。なお符号８２は紐通しであり、符号８３はメガホン８のくびれ部である。【０００３】  この打撃音を発てることで楽しく観戦出来るようにすることを主たる目的に発明されたメガホンとしては当出願人の特許である特許第３０９９２８４号の「メガホン」の発明がある。このものは複数個の拡声筒がその後部に共用される１個の前記握り部を有すると共に、複数個の拡声筒が打撃により互いを打ち合うように設けられていることを特徴とするメガホンである。前記１個の前記握り部を一方の手で握り、前記複数個の拡声筒を他方の手で打撃することによって、大きな打撃音を発てることが出来る。
【特許文献１】特許第３０９９２８４号公報（図３）
【発明の開示】
【発明が解決しようとする課題】
【０００４】  さてどのようなメガホンであってもメガホンの拡声筒を打撃して音を発生させるような使い方では、良い打撃音を出す条件の一つとして握り部を手で握った際のグリップの確かさが求められるが、例えば握り部を母指と人指し指だけで握った状態からも了解されるように、握り部が手にピタリとフィットしていない状態では良い打撃音を出すことが出来ないのである。またグリップが確かなものでないと、メガホンを振り回して応援するような場合ではメガホンが手からスッポリと抜けて落としてしまうような問題も発生する。【０００５】  これば従来のメガホンの握り部の形状が一般的に円筒形状であって手を握った時の掌側の形状にフィットしていなかったり（図５のメガホン９のように拡声筒９０と吹き口９１とを結ぶ握り部９２が円筒形状である）、また上述したメガホン８では拡声筒８０と吹き口８１との間にあるくびれ部８３を握らせるタイプのものでは母指や人指し指で握る部分がくびれ部８３よりも太くなって行く部位に当たるため、母指や人指し指の握りが甘くなるなどの問題がある。要するに従来のメガホンの握り部の形状が手を握った時の掌側の形状に全くフィットしていないのである。【０００６】  従ってこの発明の目的は上述したような問題点を解決して、メガホンの握り部の形状を手を握った時の掌側の形状にフィットするような形状とすることで、メガホンを手で打撃する際のグリップが安定するようにすることを課題とする。なおまた従来のメガホンの握り部の形状がありきたりで面白みに欠ける問題をも解決したい。
【課題を解決するための手段】
【０００７】  上記課題の解決に先立って当発明者は、メガホンを用いずに手を軽く握った状態を注意深く観察する内、人差し指から小指までの４本の指で構成されるラインと母指球の辺りのラインとが略ハ字状になっていると言う知見を得た。しかもこの略ハ字状は、握りの中心線を基準として、母指球側のラインの方が４本の指で構成される側のラインよりも開いた角度となることが分かったのである。【０００８】  そこで上記課題は、拡声筒と吹き口とから成るメガホンの握り部であって、握り部の形状が、人差し指から小指までの４本の指が接する側のラインと母指球が接する側のラインとにより略ハ字状に形成されていると共に、握り部の中心線を基準として母指球が接する側のラインの方が４本の指が接する側のラインよりも開いた角度となるように形成されたメガホンの握り部とすることによって達成される。このような握り部を任意のメガホンに適用するのである。【０００９】  また上記課題は、拡声筒と吹き口と握り部とから成るメガホンに於いて、握り部の形状が、人差し指から小指までの４本の指が接する側のラインと母指球が接する側のラインとにより略ハ字状に形成されていると共に、握り部の中心線を基準として母指球が接する側のラインの方が４本の指が接する側のラインよりも開いた角度となるように形成されているメガホンとすることにより達成される。【００１０】  上述のように手を握った状態が、人差し指から小指までの４本の指で構成されるラインと母指球の辺りのラインとが略ハ字状になっていると共に、握りの中心線を基準として、母指球側のラインの方が４本の指で構成される側のラインよりも開いた角度になっているが、この形状に握り部の形状を合わせているので、メガホンの握り部の形状が手を握った時の掌側の形状にピタリとフィットし、安定したグリップと安定したグリップ感とが得られ、拡声筒への打撃が安定したものとなる訳である。【００１１】  この効果はどのようなメガホンにも適用可能であるが、特に特許第３０９９２８４号の「メガホン」のように、打撃を主たる目的として複数個の拡声筒が打撃により互いを打ち合うように設けられているものでは、グリップが安定することによって、よりしっかりとした打撃音を発生させることが出来るのである。【００１２】  しかもこの握り部の形状そのものが極めてユニークなものであり興趣が感じられるのである。【００１３】  またメガホンの握り部には滑り止めを設けると、グリップがより一層安定したものとなると言う効果を奏する。これには握り部に凹凸を形成したり、握り部にゴム製のシートを貼付するなどすれば良い。【００１４】  次にこの発明のメガホンに於いては、握り部が吹き口に設けられているものとすることが出来る。握り部が吹き口であることによってメガホンの全体を小型化することが可能である。また握り部が拡声筒と吹き口との間にあるタイプのメガホンでは振り回したり打撃する際に吹き口が手の付け根に当たることがあるが、握り部が吹き口であることによってそれが起こらない。また恰かも掌で作ったメガホンを吹いているような感じになれる。【００１５】  次にこの発明のメガホンに於いて、複数個の拡声筒がその後部に共用される１個の前記握り部を有すると共に、複数個の拡声筒が打撃により互いを打ち合うように設けられているものとすることが出来る。この作用は既に００１１項で説明した通りである。
【発明の効果】
【００１６】  この発明によれば、メガホンの握り部の形状が、人差し指から小指までの４本の指が接する側のラインと母指球が接する側のラインとにより略ハ字状に形成されていると共に、握り部の中心線を基準として母指球が接する側のラインの方が４本の指が接する側のラインよりも開いた角度となるように形成されている。この形状が正しくメガホンを用いずに手を軽く握った状態の、人差し指から小指までの４本の指で構成されるラインと母指球の辺りのラインとで構成される略ハ字状であることと、この略ハ字状が握りの中心線を基準として母指球側のラインの方が４本の指で構成される側のラインよりも開いた角度であることによって、メガホンの握り部がこれを握った時の掌側の形状に極めて良好にフィットして、メガホンを打撃する際のグリップが実に良く安定するようになると言う優れた効果を奏している。しかもこの握り部の形状そのものが極めてユニークなものであり面白みのあるものとなっている。
【発明を実施するための最良の形態】
【００１７】  以下ではこの発明の幾つかの実施形態を図面に基づいて説明するが、この発明はこれ等の実施形態に限定されるものではなく、この発明の思想の範囲内に於いて自由に変化させることが可能である。【００１８】  （第１実施形態）
このメガホンは、握り部を兼ねる吹き口２の前側（図１の左側とする）の口に拡声筒１をその挿入部１０を挿入することによって一体化して成るものであるが、前記吹き口２に特徴を有するものとなっている。すなわち吹き口２の形状がこれを握る人差し指から小指までの４本の指が接する側のライン２０（Ｆ）と母指球が接する側のライン２１（Ｂ）とにより略ハ字状に形成されていると共に、吹き口２の中心線を基準として、母指球が接する側のライン２１（Ｂ）の方が４本の指が接する側のライン２０（Ｆ）よりも開いた角度となるように形成されている（図２を参照のこと）。【００１９】  このメガホンの吹き口２は非常にユニークな形状のものであり面白みがあると同時に、この形状によってメガホンの吹き口２の形状が手を握った時の掌側の形状にピタリと一致してグリップが安定する。なお図２の吹き口２を左右逆にして握ったとしても矢張り握った掌の形状に一致することが分かる。【００２０】  なおこのメガホンの吹き口２はこれのみで一個の独立した商品として販売可能である。またこのメガホンの全体をブロー成型により一体に成型することも可能である。【００２１】  （第２実施形態）
このメガホンの特徴は、握り部を兼ねる吹き口４の前側（図３の上側とする）の口に、２個の拡声筒３，３０が打撃により互いを打ち合うように設けられている点にある。２個の拡声筒３，３０には吹き口４に近い部位にスペーサ３１が設けられており、吹き口４の口に挿着された２個の拡声筒３，３０がこのスペーサ３１によって間を空けられ、通常は密着しないようにされている。また２個の拡声筒３，３０の前側（図３の上側とする）の相対する部位には打撃用の突起３２が形成されている。【００２２】  また前記吹き口４は拡声筒３，３０に共用されるものであり、人差し指から小指までの４本の指が接する側のライン４１と母指球が接する側のライン４２とにより略ハ字状に、且つ吹き口２の中心線を基準として、母指球が接する側のライン４２の方が４本の指が接する側のライン４１よりも開いた角度となるように形成されている（図３）。またライン４１，４２には各々滑り止めの凸部４３，４４が設けられている。また吹き口４の、人の口が当たる部位は略Ｖ字状に切り込まれたＶ字ライン４０が形成されている。【００２３】  上述したように吹き口４にはＶ字ライン４０が形成されており、吹き口４を吹いて声援を送る際にＶ字ライン４０が鼻の下と前顎に入り込んで、人の口と吹き口４との間になるべく隙間が出来ないようになっている。なお吹き口４は略ハ字状に形成されているため、これを大きくすることにより吹き口でマウスピースのように人の口と鼻とを覆うようにすることが可能であり、この姿勢の吹き口４が鼻に当たることを回避出来る。【００２４】  また吹き口４には凸部４３，４４が設けられているため、グリップがより確かなものとなり、メガホンを振り回して応援するような場合ではメガホンが手からスッポリと抜けて落としてしまうような問題が減少する。また凸部４３，４４によってグリップが安定するため、吹き口４の略ハ字状のライン４１，４２の作用と相まって、２個の拡声筒３，３０を打撃により互いを打ち合わせた際に、グリップが安定することによってよりしっかりとした打撃音を発生させることが出来るのである。
【産業上の利用可能性】
【００２５】  この発明のメガホンの握り部はこれ単独で商品である。メガホンはいわゆるスポーツ応援グッズであるから、筒状の握り部分を有するスポーツ応援グッズであればこの発明の構成を採用することが可能である。すなわちこの発明の握り部は他のスポーツ応援グッズに適用することが可能であり、これ等もまたこの発明の権利範囲内のものである。
【図面の簡単な説明】
【００２６】
【図１】  この発明の第１実施形態の分解説明図である。
【図２】  同実施形態の吹き口２の原理説明図である。
【図３】  この発明の第２実施形態の説明図である。
【図４】  従来例の説明図である。
【図５】  従来例の説明図である。
【符号の説明】
【００２７】  １    拡声筒
１０  挿入部
２    吹き口
２０  ４本の指が接する側のライン
２１  母指球が接する側のライン
３    拡声筒
３０  拡声筒
３１  スペーサ
３２  打撃用の突起
４    吹き口
４０  Ｖ字ライン
４１  ４本の指が接する側のライン
４２  母指球が接する側のライン
４３  凸部
４４  凸部
Ｆ    ４本の指で構成されるライン
Ｂ    母指球の辺りのライン
【図１】
2007156375.tif 000003
【図２】
2007156375.tif 000004
【図３】
2007156375.tif 000005
【図４】
2007156375.tif 000006
【図５】
2007156375.tif 000007